(57)【要約】【課題】構成部品が出っ張らずに見栄えがよく、開き戸の開閉に支障を来たさないで、開き戸の反り変形を確実に防止矯正することが実現される開き戸用反り防止矯正器具を提供する。【解決手段】開き戸用反り防止矯正器具Ｒは、開いたときに反り変形した開き戸を閉方向へ回動すると、扉側反り防止矯正手段３０の可動矯正具３９の押当凸部５０が、枠側反り防止矯正手段２５の突起３２のガイド凸部３５の傾斜側面３５ａと摺接しながら、傾斜側面で扉側矯正手段が枠側反り防止矯正手段に衝突しないようにガイド凸部を案内して突起を可動矯正具の係合凹部５１に係合し、その可動矯正具の押当凸部が突起の根元側の押圧部３６に押し当り、続いて開き戸が回動して閉じるに従い、固定の押圧部で押当凸部を、開き戸の反り変形が矯正される方向に次第に強く押圧し、これにより、先の開時に開き戸に発生した反り変形を、開き戸を閉じながら矯正する構成になっている。【選択図】          図１
2010007432.tif 000002
【特許請求の範囲】
【請求項１】
ピボットヒンジを用いて吊元側を戸枠の上下隅部に連結して回動可能に吊り込む開き戸を、上下の前記ピボットヒンジの間において、前記戸枠に連結して前記開き戸の反り変形を防止矯正する器具であって、
前記開き戸が閉状態にあるとき、該開き戸の吊元側端面と向き合う前記戸枠の縦枠の端面に組み付ける枠側反り防止矯正手段と、該枠側反り防止矯正手段と対向する前記開き戸の吊元側端面に組み付ける扉側反り防止矯正手段とからなり、
前記枠側反り防止矯正手段は、
フランジと、該フランジ上から突出する突起とを有し、前記フランジに長穴を設ける一方、前記突起を、前記長穴に沿って肉厚な根元の押圧部と、該押圧部から先端に至るに従い薄肉になる向きに両側面が傾斜して伸びるガイド凸部とで形成し、組付時、該ガイド凸部の両側面を前記縦枠の両側面に合わせた向きで、前記フランジを前記縦枠の端面にあてがい、止めねじを前記長穴に通して組付位置を移動調整可能に固定してなり、
前記扉側反り防止矯正手段は、
ガイド穴を設け、該ガイド穴を前記突起に対向させて前記開き戸の吊元側端面に固定するガイドケースと、該ガイドケースで前記ガイド穴から出没自在に保持する可動矯正具と、該可動矯正具を前記ガイド穴から突出する向きに常時付勢する付勢ばねとを備え、
前記可動矯正具には、前記開き戸が閉じるときに枠側の前記突起が係合する係合凹部を凹設する一方、開いたとき反り変形した前記開き戸が閉じるときに前記突起の押圧部に押し当り、前記開き戸が閉方向に回動するに従い、該開き戸の反り変形が矯正される方向に枠側の前記押圧部に押圧される押当凸部を突設してなることを特徴とする、開き戸用反り防止矯正器具。
【請求項２】
前記枠側反り防止矯正手段は、取付板を備え、組付時に該取付板に前記フランジを重ね合わせて前記縦枠の端面に固定し、前記取付板と前記フランジの合せ面双方に、平行直線の刻みを板幅方向に多数並べて刻設した滑り止めを形成してなることを特徴とする、請求項１又は２に記載の開き戸用反り防止矯正器具。
【発明の詳細な説明】
【技術分野】
【０００１】
本発明は、ピボットヒンジを用いて吊元側を戸枠の上下隅部に連結して回動可能に吊り込む開き戸を、上下のピボットヒンジの間で、戸枠に連結して開き戸の反り変形を防止矯正する開き戸用反り防止矯正器具に関する。
【背景技術】
【０００２】
最近、開き戸は、ヒンジとして、例えば図１３に示すように、目立たずに装着されて見栄えが良いことから、上下に一対のピボットヒンジ１・２を用い、それらピボットヒンジに備えたピボット軸と軸受穴の嵌め合いで、吊元側を回動可能に戸枠３の上下隅部に連結して吊り込んでいる。また、開き戸４は、縦長なパネル上で、素材が木製など、経時に弓状に反り易い材質の場合は、ピボットヒンジ１・２の中間に反り防止金具５を装着し、この反り防止金具５で戸枠３に連結して反り変形の発生を防止していた。反り防止器具５は、一対の中間ヒンジ体５ａ・５ｂを、上下に重ねて一方を戸枠３側にねじ止めし、他方を開き戸４にねじ止めする一方、ピボット軸５ｃで連結したピン継手構造とし、上下のピボットヒンジ１・２と相俟って開き戸４を戸枠３に回動可能に連結している（特許文献１参照）。
【０００３】
しかし、上述した従来の開き戸用反り防止器具５では、開き戸４の吊元側において、上下のピボットヒンジ１・２だけでなく、その間でも出っ張りを生ずる結果、それだけ扉周りの見栄えが悪くなり、最近、特に扉周りは、デザイン上、出っ張りを少なくして一面フラットな外観であることが求められているため、そのような要求に反するという問題があった。
【０００４】
そこで、従来、開き戸用反り防止器具の中には、例えば図１４および図１５（Ａ）に示すように、開き戸４と戸枠３の間から構成部品が出っ張らないように、互いの合せ面３ａ・４ａに構成部品を組み付けて開き戸の反り変形を防止しようとするものがある。
【０００５】
この従来の開き戸用反り防止器具は、突出部６ａを有した雄器具６を、戸枠３の合せ面３ａに固定する一方、窪み７ａを有した雌器具７を開き戸４の吊元側の合せ面４ａに固定し、開き戸４を閉じたとき、図１５（Ｂ）に示すように、窪み７ａに突出部６ａを嵌合させて開き戸４を戸枠３に連結し、これによって、開き戸４の反り変形を強制的に防止する構造になっている（特許文献２参照）。
【特許文献１】特開２００３−１４８０３１号公報
【特許文献２】特開２００８−３８３４６号公報
【発明の開示】
【発明が解決しようとする課題】
【０００６】
ところで、従来の開き戸用反り防止器具は、確かに、開き戸４が閉状態にある間は、開き戸４を剛体の戸枠３に連結して反り変形を強制的に規制することにより、反り変形は防止することができるが、いったん開き戸４を開いて雄器具６と雌器具７の嵌め合いが外れると、開き戸４が、強制的な反り規制が一気に解かれた反動で、却って大きく反って変形してしまっている。従って、この従来の反り防止器具よれば、開き戸４を開いて後に、図１５（Ｃ）に示すように閉じようとしても、開き戸４には、開いたときに既に反り変形が発生して雌器具７と雄器具６との間で位置ズレを起こしているため、雌器具７が雄器具６に衝突して閉じることができず、その結果、開き戸４の開閉に支障を来たし、また、開き戸４が閉じられないのでは、閉時中に開き戸４の反り変形を防止することもできなくなるという課題があった。
【０００７】
そこで、本発明の目的は、構成部品が出っ張らず見栄えがよく、しかも、開き戸の開閉に支障を来たさないで、開き戸の反り変形を確実に防止矯正することが実現する開き戸用反り防止矯正器具を提供することにある。
【課題を解決するための手段】
【０００８】
そこで、上述した課題を解決すべく、請求項１に記載の発明に係る開き戸用反り防止矯正器具Ｒは、たとえば以下に示す図示実施の形態のとおり、ピボットヒンジＰ（Ｐ１・Ｐ２）を用いて吊元側を戸枠Ａの上下隅部１１ａ・１１ｂに連結して回動可能に吊り込む開き戸Ｄを、上下の前記ピボットヒンジＰ１・Ｐ２の間において、前記戸枠Ａに連結して前記開き戸Ｄの反り変形を防止矯正する器具であって、前記開き戸Ｄが閉状態にあるとき、該開き戸Ｄの吊元側端面２２と向き合う前記戸枠Ａの縦枠１１の端面２１に組み付ける枠側反り防止矯正手段２５と、該枠側反り防止矯正手段２５と対向する前記開き戸Ｄの吊元側端面２２に組み付ける扉側矯正手段３０とからなり、前記枠側反り防止矯正手段２５は、フランジ３１と、該フランジ３１上から突出する突起３２とを有し、前記フランジ３１に長穴３３を設ける一方、前記突起３２を、前記長穴３３に沿って肉厚な根元の押圧部３６と、該押圧部３６から先端に至るに従い薄肉になる向きに両側面３５ａ・３５ｂが傾斜して伸びるガイド凸部３５とで形成し、組付時、該ガイド凸部３５の両側面３５ａ・３５ｂを前記縦枠１１の両側面５５・５６に合わせた向きで、前記フランジ３１を前記縦枠１１の端面２１にあてがい、止めねじ３７を前記長穴３３に通して組付位置を移動調整可能に固定してなり、前記扉側反り防止矯正手段３０は、ガイド穴４５を設け、該ガイド穴４５を前記突起３２に対向させて前記開き戸Ｄの吊元側端面２２に固定するガイドケース３８と、該ガイドケース３８で前記ガイド穴４５から出没自在に保持する可動矯正具３９と、該可動矯正具３９を前記ガイド穴４５から突出する向きに常時付勢する付勢ばね４０とを備え、前記可動矯正具３９には、前記開き戸Ｄが閉じるときに枠側の前記突起３２が係合する係合凹部５１を凹設する一方、開いたとき反り変形した前記開き戸Ｄが閉じるときに前記突起３２の押圧部３６に押し当り、前記開き戸Ｄが閉方向に回動するに従い、該開き戸Ｄの反り変形が矯正される方向に枠側の前記押圧部３６に押圧される押当凸部５０を突設してなることを特徴とする。
【０００９】
従って、請求項１に記載の発明では、開き戸が閉状態にあるとき、上下のピボットヒンジＰ１・Ｐ２の間において、枠側の突起３２が扉側の可動矯正具３９の係合凹部５１に係合して開き戸Ｄを剛体の戸枠Ａに連結し、これにより、経時、例えば開き戸Ｄの内側と外側とで温度や湿度に差が発生することがあっても、開き戸Ｄが反り変形するのを強制的に防止する。一方、開き戸Ｄは、閉状態にある間は、本発明の開き戸用反り防止矯正器具Ｒで戸枠Ａに連結されるため、反り変形するのを強制的に規制されるが、開き戸Ｄを開いて、枠側の突起３２と扉側の可動矯正具３９の係合凹部５１との係り合いが外れると、一気に強制的な反り規制が解かれた反動で、開き戸Ｄが大きく反り変形する。しかし、本発明の反り防止器具Ｒは、開いたときに反り変形した開き戸Ｄを閉方向へ回動すると、扉側の可動矯正具３９の押当凸部５０が、枠側の突起３２のガイド凸部３５の傾斜した両側面３５ａ・３５ｂの何れかに摺接しながら、その傾斜側面で扉側反り防止矯正手段３０が枠側反り防止矯正手段２５に衝突しないようにガイド凸部３５を案内して突起３２を係合凹部５１に係合し、それから、扉側可動矯正具３９の押当凸部５０が枠側突起３２の根元側押圧部３６に押し当り、続いて開き戸Ｄが回動して閉じるに従い、固定の押圧部３６で押当凸部５０を開き戸Ｄの反り変形が矯正される向きに次第に強く押圧し、これにより、先の開時に開き戸Ｄに発生した反り変形を、開き戸Ｄを閉じながら事前に矯正する。
【００１０】
請求項２に記載の発明は、請求項１又は２に記載の開き戸用反り防止矯正器具Ｒにおいて、たとえば以下に示す図示実施の形態のとおり、前記枠側反り防止矯正手段２５は、取付板２３を備え、組付時に該取付板２３に前記フランジ３１を重ね合わせて前記縦枠１１の端面２１に固定し、前記取付板２３と前記フランジ３１の合せ面２３ａ・３１ａ双方に、平行直線の刻みを板幅方向に多数並べて刻設した滑り止め２９・３４を形成してなることを特徴とする。
【発明の効果】
【００１１】
よって、請求項１に記載の発明によれば、開き戸を開いたために、閉時に抑えられていた反り変形が開き戸に発生しても、この反り変形を、その都度、開き戸を閉じながら事前に矯正してから、枠側反り防止矯正手段の突起を扉側反り防止矯正手段の可動矯正具の係合凹部に係合して開き戸を戸枠に連結するから、枠側反り防止矯正手段に扉側反り防止矯正手段が衝突したりして開き戸を閉じられず、開き戸Ｄの開閉に支障を来たしたり、開き戸が閉じられないために閉時に反り変形防止効果を発揮することができないような不具合の発生を防止することができる。
【００１２】
請求項２に記載の発明によれば、枠側反り防止矯正手段の重ね合わさったフランジと取付板との合せ面双方に、平行直線の刻みを板幅方向に多数並べて刻設した滑り止めを付けているため、フランジを縦枠端面の幅方向前後に動かして移動調整するとき、動き過ぎを抑えて枠側反り防止矯正手段を最適な取付位置に簡単且つ正確に位置決めすることができる一方、所定の取付位置に枠側反り防止矯正手段をいったん固定すると、平行な刻み目の噛み合いでズレ動くことなく堅固に固定することができる。
【発明を実施するための最良の形態】
【００１３】
以下、図面を参照しつつ、本発明の実施の形態について説明する。
【００１４】
図１は、本発明の一例である開き戸用反り防止矯正器具を適用した室内の開き戸構造体を、開き戸の閉状態において示す斜視図、図２は、開き戸構造体を開き戸の全閉状態において示す正面図である。符号Ｄは、開き戸構造体に備える室内扉の開き戸、Ａは戸枠、Ｆは床面である。図示開き戸Ｄは、縦長な木製で、ピボットヒンジＰを用いて図中右の吊元側を戸枠Ａの上下隅部に連結して回動可能に吊り込む。戸枠Ａは、図中左右の縦枠１０・１１と天井側の上枠１２とからなる。符号１３は、開き戸Ｄの戸当りである。
【００１５】
ピボットヒンジＰは、一組の下部ヒンジＰ１と上部ヒンジＰ２とからなる、取付位置調整型ピボットヒンジで、下部ヒンジＰ１を、互いに向かい合う戸枠Ａの右縦枠１１の下隅部１１ａと開き戸Ｄの右下隅部１４ａ間に装着し、上部ヒンジＰ２を、右縦枠１１の上隅部１１ｂと開き戸Ｄの右上隅部１４ｂ間に装着し、開き戸Ｄを戸枠Ａに対して所定取付位置で右勝手に開閉可能に吊り込む。そのため、下部ヒンジＰ１は、開き戸Ｄの荷重を支えるヒンジで、支持用のアングル板１５及びそれに付設する付属品からなるサポートユニット１６と、ピボット軸１７を含むピボットユニット１８の一対からなる。上部ヒンジＰ２は、開き戸Ｄの回動を案内するヒンジで、下部ヒンジＰ１と部品構成が略同じガイドユニット１９とピボットユニット２０の一対からなる。そこで、下部ヒンジ部Ｐ１および上部ヒンジＰ２に備えたピボット軸１７と軸受穴の嵌め合いで、開き戸Ｄを、戸枠Ａの上下隅部１１ａ・１１ｂに回動可能に取り付ける一方、戸枠Ａに対する取付位置の調整時は、ピボット軸１７と軸受穴の嵌め合い位置を変位させて、戸枠Ａに対し上下、前後左右に調整する。そして、図示例では、これら下部ヒンジＰ１と上部ヒンジＰ２間の中間位置において、開き戸Ｄを戸枠Ａに連結して開き戸Ｄの反り変形を防止する、本発明の開き戸用反り防止矯正器具Ｒを装着する。
【００１６】
図示反り防止矯正器具Ｒは、図１に示すように、戸枠Ａの右縦枠１１の端面２１に組み付ける枠側反り防止矯正手段２５と、枠側反り防止矯正手段２５に対向させて開き戸Ｄの吊元側端面２２に組み付ける扉側矯正手段３０とからなる。
【００１７】
枠側反り防止矯正手段２５は、ステンレス製の取付板２３と樹脂製の固定矯正具２４とを備えてなる。取付板２３は、図３に示すように、縦長矩形の平板で、長手方向両端の対称位置にねじ挿通穴２６とそれより小径なビス挿通穴２７を設ける一方、表側の合せ面２３ａのこれら挿通穴２６・２７間に、平行直線の刻みを板幅方向に多数並べて刻設した滑り止め２９を形成してなる。
【００１８】
固定矯正具２４は、樹脂で一体成形し、板状のフランジ３１と、フランジ３１の片面中央から突出する突起３２とからなる。フランジ３１は、取付板２３に対応させて縦長矩形の平板状に成形し、突起３２を間に挟んだ両端側に板幅方向に細長い長穴３３を設けてなる。更に、フランジ３１は、図４に示すように、他面側の合せ面３１ａには、突起３２の真裏に、取付板２３の滑り止め２９に合わせて、平行直線の刻みを板幅方向に多数並べて刻設した滑り止め３４を形成してなる。一方、突起３２は、図３に示すように、長穴３３の長さ方向に肉厚な根元の押圧部３６と、押圧部３６から先端に至るに従い薄肉になる向きに両側面３５ａ・３５ｂが傾斜してテーパ状に伸びる刃形状のガイド凸部３５とに成形してなる。
【００１９】
そこで、枠側反り防止矯正手段２５は、互いの合せ面２３ａ・３１ａを合わせて取付板２３に固定矯正具２４のフランジ３１を重ねて、図５に示すように、止めねじ３７を長穴３３に通して固定矯正具２４を取付板２３に連結し、取付板２３に対する固定矯正具２４の重ね合せ位置を長穴３３に沿ってずらせて移動調整可能に組み立てられる。
【００２０】
扉側反り防止矯正手段３０は、図６に示すように、樹脂製のガイドケース３８と、樹脂製の可動矯正具３９と、圧縮コイルスプリングからなる付勢ばね４０を備えてなる。
【００２１】
ガイドケース３８は、樹脂で一体成形したケース本体４１と底蓋４２とからなる。ケース本体４１は、飯盒形状のガイド部４３と、ガイド部４３を間に挟んだ両端側に対称に延びる取付鍔部４４とからなる。ガイド部４３は、可動矯正具３９の外形状に合わせて縦長矩形の貫通穴のガイド穴４５を設け、ガイド穴４５の入口開口４６を取付鍔部４４側に形成する一方、反対側に開いた底側開口４７を間に挟んだ両端側に一対の蓋受部４３ａを設けてなる。また、ガイド穴４５の内壁四隅には、入口開口４６の穴縁から底側開口４７へ向けそれぞれ同じ長さの凸条部４３ｂを設け、凸条部４３ｂの底側開口４７側に規制段部４３ｃを形成してなる。底蓋４２は、ガイド部４３の輪郭形状に合わせて長さ方向両端が半円状のプレートで、その片面中央に円形のばね受け凹部４２ａを凹設してなる。
【００２２】
可動矯正具３９は、底側のばね当て部４８と、ばね当て部４８の幅方向両側縁から平行に延びてそれぞれ先端が丸みを帯びた一側板状の案内凸部４９および他側板状の押当凸部５０を設けて、内側に係合凹部５１が形成されるチャンネル状に一体成形してなる。ばね当て部４８は、ガイドケース３８の底蓋４２のばね受け凹部４２ａと対応し、係合凹部５１側と反対側の外面中央にばね入れ凹部４８ａを設けてなる。押当凸部５０は、一側の案内凸部４９よりばね当て部４８から長く延ばして成形し、一段高く突出させてなる。案内凸部４９および押当凸部５０には、それぞれ係合凹部５１側と反対側の外側角縁に、ガイドケース３８側のガイド穴４５の凸条部４３ｂが係合可能に凹条部４９ａ・５０ａを設け、凹条部４９ａ・５０ａのばね当て部４８側にストッパ段部４９ｂ・５０ｂを形成してなる。
【００２３】
そこで、扉側反り防止矯正手段３０は、可動矯正具３９を底側開口４７からガイドケース３８のガイド穴４５に嵌め入れて凸条部４３ｂを凹条部４９ａ・５０ａに係合し、付勢ばね４０の一端をばね当て部４８のばね入れ凹部４８ａに嵌め込む一方、他端を底蓋４２のばね受け凹部４２ａに嵌め込んでから、底蓋４２を蓋受部４３ａにビス５２で止めて組み立てる。すると、扉側反り防止矯正手段３０は、可動矯正具３９を、常時は付勢ばね４０で入口開口４６から突出する向きに付勢する一方で、ストッパ段部４９ｂ・５０ｂが規制段部４３ｃに突き当たり、図７（Ａ）に示すように、押当凸部５０の先端板部５０ｃが入口開口４６から突出した待機位置に止めて保持した状態で組み立てられてなる。他方、可動矯正具３９を、付勢ばね４０に抗してガイド穴４５に押し込むと、図７（Ｂ）に示すように、押圧凸部５０の先端板部５０ｃもガイド穴４５内に納まる矯正位置で止めて保持する。以って、扉側反り防止矯正手段３０は、図７（Ａ）・（Ｂ）に示すように、可動矯正具３９を、ガイドケース３８のガイド穴４５内に押当凸部５０の先端板部５０ｃが入口開口４６から出没自在に収納してなる。
【００２４】
ところで、図示開き戸Ｄは、木製で縦長パネル状の室内扉であるため、開き戸Ｄの室内側と外側とで温度や湿度に差があると、弓反り変形を起こし易いが、通常、扉内側の温度が高く空気が乾燥し、外側の温度が低く湿度が高いことが多いため、開き戸Ｄは、図８中鎖線で示すように、上下のヒンジＰ１・Ｐ２間の中間部が外側の矢印Ｘ方向に凸状の弓反り変形を起こし易い。
【００２５】
そこで、上述した部品構成の反り防止矯正器具Ｒは、このような開き戸Ｄの反り変形を防止するために、ピボットヒンジＰを用いて吊元側を戸枠Ａの上下隅部１１ａ・１１ｂに取り付けて回動可能に吊り込んだ開き戸Ｄを、戸枠Ａに連結する。その場合、反り防止器具Ｒは、図１および図２に示すように、上下のピボットヒンジＰ１・Ｐ２間の中間位置において、縦枠１１の端面２１に枠側反り防止矯正手段２５を組み付け、枠側反り防止矯正手段２５に対向させて開き戸Ｄの吊元側端面２２に扉側反り防止矯正手段３０を組み付ける。なお、開き戸Ｄの吊元側端面２２には、扉側反り防止矯正手段３０の組付位置に、ガイドケース３８のガイド部４３の外形状に合わせて、飯盒型に取付凹部を穿設している（図示省略）。
【００２６】
さて、反り防止矯正器具Ｒにおいて、枠側反り防止矯正手段２５を縦枠１１の端面２１に組み付けるときは、図３〜図５に示すように、縦枠１１の端面２１に取付板２３を木ねじ５９で縦向きに固着してから、突起３２のガイド凸部３５の両側面３５ａ・３５ｂを縦枠１１の両側面５５・５６に合わせた向きで、固定矯正具２４のフランジ３１を取付板２３に重ね合わせ、止めねじ３７を長穴３３とビス穴２７に通して、固定矯正具２４を縦枠１１の端面２１に仮止めする。即ち、固定矯正具２４の取付板２３に重ねた取付位置を、長穴３３に沿って穴長さ方向に、即ち、図９中矢示する縦枠端面２１の幅方向前後に、固定矯正具２４をずらして移動調整可能に縦枠端面２１に、いったん取り付ける
【００２７】
一方、扉側反り防止矯正手段３０は、図７（Ａ）に示すように、可動矯正具３９の押圧凸部５０を、開き戸Ｄが中間部で矢印Ｘ方向に凸状に反った側とは反対の室内側に位置させ、ガイドケース３８の飯盒型ガイド部４３を吊元側端面２２の前記取付凹部に嵌め込んで取付鍔部４４を木ねじ６０で固定し、図９に示すように吊元側端面２２に組み付ける。しかる後、開き戸Ｄを、図１０（Ａ）・（Ｂ）に示すように閉方向へ回動して閉めるときに、いま仮止め状態の固定矯正具２４の突起３２が可動矯正具３９の係合凹部５１に係合する状態が最適な状態になるように、開き戸Ｄの反り変形の形状や変形量を考慮し、固定矯正具２４を、必要に応じて、図５に示す取付板２３に対し長穴３３に沿って最適な取付位置に移動調整してから、本止めする。即ち、反り変形していない状態で開き戸Ｄを回動し、図１０（Ａ）に示すように閉じる途中では、固定矯正具２４の突起３２が可動矯正具３９の係合凹部５１に余裕をもって係合し、図１０（Ｂ）に示す全閉状態では、突起３２のガイド凸部３５における室内側の側面３５ａに可動矯正具３９の押圧凸部５０の内面が当接して係合する最適な状態になるように、固定矯正具２４を移動調整してから固定する。
【００２８】
図示反り防止矯正器具Ｒでは、重ね合った固定矯正具２４のフランジ３１と取付板２３との合せ面３１ａ・２３ａ双方に、平行直線の刻みを板幅方向に多数並べて刻設した滑り止め３４・２９を付けているため、固定矯正具２４を縦枠端面１１の幅方向前後に動かして移動調整するとき、動き過ぎを抑えて固定矯正具２４を最適な取付位置に簡単且つ正確に位置決めすることができる。一方、所定取付位置に固定矯正具２４をいったん固定すると、平行な刻み目の噛み合いでズレ動くことなく堅固に固定することができる。これを以って、図示反り防止器具Ｒは、開き戸Ｄの吊元側と戸枠Ａの右縦枠１１間で構成部品が出っ張って見栄えが低下するようなことがなく、枠側反り防止矯正手段２５と扉側反り防止矯正手段３０を、それぞれ互いの合せ面の縦枠端面２１と吊元側端面２２に組み付けて、上下のピボットヒンジＰ１・Ｐ２の中間位置において、その装着を終える。
【００２９】
従って、図示反り防止矯正器具Ｒは、図９（Ｂ）に示すように、開き戸Ｄが全閉状態にあるとき、上下のピボットヒンジＰ１・Ｐ２の中間位置において、固定矯正具２４の突起３２が可動矯正具３９の係合凹部５１に係合して開き戸Ｄを剛体の戸枠Ａに連結し、これによって、経時、開き戸Ｄの室内側と外側とで温度や湿度に差が発生することがあっても、開き戸Ｄが弓なりに反って変形するのを強制的に防止する。
【００３０】
さて、図示例においても、開き戸Ｄは、閉状態にある間は、図示反り防止矯正器具Ｒで戸枠Ａに連結されるため、弓なりに反って変形するのを強制的に規制されるが、図１１に示すように、開き戸Ｄを開いて、枠側固定矯正具２４の突起３２と扉側可動矯正具３９の係合凹部５１の係り合いが外れると、一気に強制的な反り規制が解かれた反動で、開き戸Ｄが大きく弓なりに反って変形してしまう。このとき、扉側反り防止矯正手段３０では、可動矯正具３９を、扉側可動矯正具３９の押当凸部５０の先端板部５０ｃがガイド穴４５から突出した待機位置に止めて保持した状態にある。
【００３１】
しかし、本発明の反り防止矯正器具Ｒは、開き戸Ｄを開いたとき、図８で示す弓形に変形した開き戸Ｄを、図１２（Ａ）に示すように閉方向へ回動すると、今、待機位置にある扉側可動矯正具３９の押圧凸部５０が、枠側固定矯正具２４の突起３２のガイド凸部３５の傾斜した室内側側面３５ａに摺接しながら、その傾斜側面３５ａで扉側反り防止矯正手段３０が枠側反り防止矯正手段２５に衝突しないようにガイド凸部３５を案内して突起３２を係合凹部５１に係合する。それから、図１２（Ｂ）に示すように、扉側可動矯正具３９の押当凸部５０が枠側突起３２の押圧部３６に押し当たり、続いて開き戸Ｄが閉方向へ回動して閉じるに従い、固定の突起３２の押圧部３６で押当凸部５０を、開き戸Ｄの反り変形が矯正される向きに、即ち、開き戸Ｄの反り変形方向Ｘとは反対のＹ方向に次第に強く押圧しながら、枠側突起３２が扉側の係合凹部５１に係合し、図１２（Ｃ）に示すように、開き戸Ｄを剛体の戸枠Ａに連結し、開き戸Ｄを反り変形規制状態で閉状態にする。
【００３２】
従って、本発明の反り防止矯正器具Ｒでは、開くたびに反り変形する開き戸Ｄであっても、開き戸Ｄが閉方向へ回動して閉じるに従い、枠側固定矯正具２４の突起３２の押圧部３６で扉側可動矯正具３９の押当凸部５０を、反り変形方向Ｘとは反対のＹ方向の開き戸Ｄの反り変形が矯正される向きに次第に強く押圧することにより、開時に開き戸Ｄに発生する反り変形を、その都度、開き戸Ｄを閉じながら事前に矯正する。
【００３３】
その結果、本発明の反り防止矯正器具Ｒでは、開き戸Ｄを開いたために、閉時に抑えられていた反り変形が開き戸Ｄに発生しても、その反り変形を、その都度、開き戸Ｄを閉じながら事前に矯正してから、枠側の固定矯正具２４の突起３２を扉側の可動矯正具３９の係合凹部５１に係合して開き戸Ｄを戸枠Ａに連結するから、枠側反り防止矯正手段２５に扉側反り防止矯正手段３０が衝突したりして開き戸Ｄを閉じることができず、開き戸Ｄの開閉に支障を来たしたり、開き戸Ｄが閉じられないために閉時に反り変形防止効果を発揮することができないという不具合の発生を防止することができる。
【００３４】
ところで、以上の図示実施の形態において、扉側反り防止矯正手段３０の可動矯正具３９は、ばね当て部４８の一側（取付時は室外側）に案内凸部４９を突設する一方、他側（取付時は室内側）に、開き戸Ｄの反り変形方向Ｘを考慮し、枠側の突起３２で押圧して開き戸Ｄの反り変形を矯正する押当凸部５０を突設した形状としたが、本発明の開き戸用反り防止矯正器具は、それに限らず、各種の開き戸に発生する反り変形方向や形状に応じて、押当凸部を、ばね当て部の一側に突設したり又は両側に突設したりすることを除外するものではない。
【００３５】
なお、以上の図示実施の形態では、開き戸Ｄが木製であったが、本発明の開き戸用反り防止矯正器具は、開き戸の材質が木製である場合に限らず、樹脂製のものなど、反り変形を発生する余地のある材質からなる開き戸全般に適用し得るのは、勿論である。
【図面の簡単な説明】
【００３６】
【図１】本発明の一例である開き戸用反り防止矯正器具を適用した開き戸構造体を、開き戸の閉状態において示す斜視図である。
【図２】開き戸構造体を開き戸の全閉状態で示す正面図ある。
【図３】反り防止矯正器具の枠側反り防止矯正手段を示す分解斜視図である。
【図４】枠側反り防止矯正手段の固定矯正具を示す斜視図である。
【図５】枠側反り防止矯正手段の組立斜視図である。
【図６】（Ａ）扉側反り防止矯正手段を一方向から見て示し、（Ｂ）他方向から見て示す分解斜視図である。
【図７】（Ａ）扉側反り防止矯正手段を押圧凸部の突出状態において示し、（Ｂ）押圧凸部をガイド穴の収納状態において示す組立斜視図である。
【図８】開き戸の反り変形状態を説明する開き戸の斜視図である。
【図９】開き戸用反り防止矯正器具の組付状態を、開き戸の開状態において示す縦断面図である。
【図１０】（Ａ）開き戸用反り防止矯正器具の組付位置を、開き戸が開途中の状態において示し、（Ｂ）全閉状態において示す縦断面図である。
【図１１】開き戸用反り防止矯正器具の組付状態を、反り変形状態にある開き戸の開状態において示す縦断面図である。
【図１２】（Ａ）開いたときに発生する開き戸の反り変形を防止する状態を、開き戸の開途中状態において示し、（Ｂ）開き戸が閉止直前の状態において示し、（Ｃ）開き戸が全閉状態において示す縦断面図である。
【図１３】従来の開き戸用反り防止器具を適用した開き戸構造体を、開き戸の閉状態において示す斜視図である。
【図１４】従来の他の開き戸用反り防止器具を適用した開き戸構造体を、開き戸の閉状態において示す斜視図である。
【図１５】（Ａ）従来の他の反り防止器具の雄器具と雌器具の嵌め合いで開き戸の反り変形を防止する状態を、開き戸の閉状態において示し、（Ｂ）雄器具と雌器具の係合状態を、開き戸の閉止直前状態において示し、（Ｃ）開き戸に発生した反り変形が原因で雄器具に雌器具が衝突した状態を示す縦断面図である。
【符号の説明】
【００３７】
Ａ                戸枠
Ｄ                開き戸
Ｐ（Ｐ１・Ｐ２）  ピボットヒンジ
Ｒ                開き戸用反り防止矯正器具
１０・１１        左右縦枠
２１              縦枠の端面
２２              開き戸の吊元側端面
２３              取付板
２４              固定矯正具
２５              枠側反り防止矯正手段
２９・３４        刻み目
３０              扉側反り防止矯正手段
３１              フランジ
３２              突起
３５              ガイド凸部
３５ａ・３５ｂ    ガイド凸部の両側面
３６              押圧部
３８              ガイドケース
３９              可動矯正具
４０              付勢ばね
４５              ガイド穴
５０              押当凸部
５１              係合凹部
【図１】
2010007432.tif 000003
【図２】
2010007432.tif 000004
【図３】
2010007432.tif 000005
【図４】
2010007432.tif 000006
【図５】
2010007432.tif 000007
【図６】
2010007432.tif 000008
【図７】
2010007432.tif 000009
【図８】
2010007432.tif 000010
【図９】
2010007432.tif 000011
【図１０】
2010007432.tif 000012
【図１１】
2010007432.tif 000013
【図１２】
2010007432.tif 000014
【図１３】
2010007432.tif 000015
【図１４】
2010007432.tif 000016
【図１５】
2010007432.tif 000017